(57)【特許請求の範囲】
【請求項１】
被写体を撮像し、画像データを出力する撮像手段と、
前記撮像手段から出力された画像データを表示する表示手段と、
前記表示手段の表示輝度をユーザが手動で調整するための手動調整手段と、
被写体輝度を取得する被写体輝度取得手段と、
前記表示手段の表示輝度を示す輝度値と被写体輝度を示す輝度値とが対応付けられた組が複数記憶可能なテーブルと、
前記手動調整手段により手動調整された前記表示手段の表示輝度を示す輝度値と、該手動調整時に前記被写体輝度取得手段により取得された被写体輝度を示す輝度値とを対応付けて１つの組として前記テーブルに記憶させる第１の記憶制御手段と、
前記第１の記憶制御手段による制御が行われた際に、既に記憶されている他の組の前記表示手段の表示輝度を示す輝度値と被写体輝度を示す輝度値とを単調増加又は減少させることにより該記憶されている他の組の値を更新させる第２の記憶制御手段と、
前記第１の記憶制御手段及び第２の記憶制御手段により記憶された前記テーブルを用いることにより、前記被写体輝度取得手段により取得された被写体輝度を示す輝度値に基づいて、前記表示手段の表示輝度を自動調整する自動調整手段と、
を備えたことを特徴とする撮像装置。
【請求項２】
前記第１の記憶制御手段は、
前記表示手段の表示輝度を手動で調整する手動調整モード時に、前記手動調整手段により前記表示手段の表示輝度の手動調整が行われた場合に、前記手動調整手段により手動調整された前記表示手段の表示輝度を示す輝度値と、該手動調整時の前記被写体輝度取得手段により取得された被写体輝度を示す輝度値とを対応付けて１つの組として前記テーブルに記憶させ、
前記自動調整手段は、
前記表示手段の表示輝度を自動調整する自動調整モード時に、前記第１の記憶制御手段により記憶された前記テーブルを用いることにより、前記被写体輝度取得手段により取得された被写体輝度を示す輝度値に基づいて、前記表示手段の表示輝度を自動調整することを特徴とする請求項１に記載の撮像装置。
【請求項３】
前記自動調整手段は、
前記表示手段の表示輝度を自動調整する自動調整モード時に、前記第１の記憶制御手段により記憶された前記テーブルを用いることにより、前記被写体輝度取得手段により取得された被写体輝度を示す輝度値に基づいて、前記表示手段の表示輝度を自動調整し、
前記第１の記憶制御手段は、
前記表示手段の表示輝度を自動調整する自動調整モード時に、前記手動調整手段により前記表示手段の表示輝度の手動調整が行われた場合は、その都度前記手動調整手段により手動調整された前記表示手段の表示輝度を示す輝度値と、該手動調整時の前記被写体輝度取得手段により取得された被写体輝度を示す輝度値とを対応付けて１つの組として前記テーブルに記憶させることを特徴とする請求項１又は２に記載の撮像装置。
【請求項４】
前記第１の記憶制御手段は、
前記手動調整手段による手動調整の終了時点の前記表示手段の表示輝度を示す輝度値と前記被写体輝度取得手段により取得された被写体輝度を示す輝度値、又は、前記手動調整手段による手動調整の終了時点の前後の前記表示手段の表示輝度を示す輝度値の平均値と前記被写体輝度取得手段により取得された被写体輝度を示す輝度値の平均値、又は、前記手動調整手段による手動調整中に周期的に得られた前記表示手段の表示輝度を示す輝度値と前記被写体輝度取得手段により取得された被写体輝度を示す輝度値とを対応付けて前記テーブルに記憶させることを特徴とする請求項１乃至３の何れかに記載の撮像装置。
【請求項５】
前記第１の記憶制御手段は、
１つの前記表示手段の表示輝度を示す輝度値に対応する被写体輝度を示す輝度値が複数ある場合、又は、１つの被写体輝度を示す輝度値に対応する前記表示手段の表示輝度を示す輝度値が複数ある場合は、最新の値、又は、その平均値を対応付けて記憶させることを特徴とする請求項１乃至４の何れかに記載の撮像装置。
【請求項６】
被写体を撮像し、画像データを出力する撮像手段と、
前記撮像手段から出力された画像データを表示する表示手段と、
前記表示手段の表示輝度をユーザが手動で調整するための手動調整手段と、
前記表示手段の表示輝度を示す輝度値と被写体輝度を示す輝度値とが対応付けられた組が複数記憶可能なテーブルと、
を備えた撮像装置を実行させるためのプログラムであって、
被写体輝度を取得する被写体輝度取得処理と、
前記手動調整手段により手動調整された前記表示手段の表示輝度を示す輝度値と、該手動調整時に前記被写体輝度取得処理により取得された被写体輝度を示す輝度値とを対応付けて１つの組として前記テーブルに記憶させる第１の記憶制御処理と、
前記第１の記憶制御処理による制御が行われた際に、既に記憶されている他の組の前記表示手段の表示輝度を示す輝度値と被写体輝度を示す輝度値とを単調増加又は減少させることにより該記憶されている他の組の値を更新させる第２の記憶制御処理手段と、
前記第１の記憶制御処理及び第２の記憶制御処理により記憶された前記テーブルを用いることにより、前記被写体輝度取得処理により取得された被写体輝度を示す輝度値に基づいて、前記表示手段の表示輝度を自動調整する自動調整処理と、
を含むことを特徴とするプログラム。
【発明の詳細な説明】
【技術分野】
【０００１】
本発明は、撮像装置及びそのプログラムに係り、詳しくは、バックライトの明るさを自動調整する撮像装置及びそのプログラムに関する。
【背景技術】
【０００２】
近年、画像などを表示する表示部のバックライトの明るさを調整する技術において、明るさのデータとバックライトの輝度設定データの対応を任意に設定変更可能な輝度設定記憶部を備え、算出された明るさデータを基に輝度設定記憶部から輝度設定データを検索し、該検索した結果に応じてバックライトの明るさを調整するというものがある（特許文献１）。
【０００３】
【特許文献１】公開特許公報  特開２００５−２８６４１７
【発明の開示】
【発明が解決しようとする課題】
【０００４】
しかしながら、上記技術によれば、輝度設定記憶部の記憶内容を可変に設定することができるという記載がされているが、その具体的な方法については一切記載されておらず、ユーザの好みに対応した自動輝度調整を簡単に行なうことができない。
【０００５】
そこで本発明は、かかる従来の問題点に鑑みてなされたものであり、ユーザの好みに合った自動輝度調整を簡単に行なうことができる撮像装置及びそのプログラムを提供することを目的とする。
【課題を解決するための手段】
【０００６】
上記目的達成のため、請求項１記載の発明による撮像装置は、被写体を撮像し、画像データを出力する撮像手段と、
前記撮像手段から出力された画像データを表示する表示手段と、
前記表示手段の表示輝度をユーザが手動で調整するための手動調整手段と、
被写体輝度を取得する被写体輝度取得手段と、
前記表示手段の表示輝度を示す輝度値と被写体輝度を示す輝度値とが対応付けられた組が複数記憶可能なテーブルと、
前記手動調整手段により手動調整された前記表示手段の表示輝度を示す輝度値と、該手動調整時に前記被写体輝度取得手段により取得された被写体輝度を示す輝度値とを対応付けて１つの組として前記テーブルに記憶させる第１の記憶制御手段と、
前記第１の記憶制御手段による制御が行われた際に、既に記憶されている他の組の前記表示手段の表示輝度を示す輝度値と被写体輝度を示す輝度値とを単調増加又は減少させることにより該記憶されている他の組の値を更新させる第２の記憶制御手段と、
前記第１の記憶制御手段及び第２の記憶制御手段により記憶された前記テーブルを用いることにより、前記被写体輝度取得手段により取得された被写体輝度を示す輝度値に基づいて、前記表示手段の表示輝度を自動調整する自動調整手段と、
を備えたことを特徴とする。
【００１３】
また、例えば、請求項２に記載されているように、前記第１の記憶制御手段は、
前記表示手段の表示輝度を手動で調整する手動調整モード時に、前記手動調整手段により前記表示手段の表示輝度の手動調整が行われた場合に、前記手動調整手段により手動調整された前記表示手段の表示輝度を示す輝度値と、該手動調整時の前記被写体輝度取得手段により取得された被写体輝度を示す輝度値とを対応付けて１つの組として前記テーブルに記憶させ、
前記自動調整手段は、
前記表示手段の表示輝度を自動調整する自動調整モード時に、前記第１の記憶制御手段により記憶された前記テーブルを用いることにより、前記被写体輝度取得手段により取得された被写体輝度を示す輝度値に基づいて、前記表示手段の表示輝度を自動調整するようにしてもよい。
【００１４】
また、例えば、請求項３に記載されているように、前記自動調整手段は、
前記表示手段の表示輝度を自動調整する自動調整モード時に、前記第１の記憶制御手段により記憶された前記テーブルを用いることにより、前記被写体輝度取得手段により取得された被写体輝度を示す輝度値に基づいて、前記表示手段の表示輝度を自動調整し、
前記第１の記憶制御手段は、
前記表示手段の表示輝度を自動調整する自動調整モード時に、前記手動調整手段により前記表示手段の表示輝度の手動調整が行われた場合は、その都度前記手動調整手段により手動調整された前記表示手段の表示輝度を示す輝度値と、該手動調整時の前記被写体輝度取得手段により取得された被写体輝度を示す輝度値とを対応付けて１つの組として前記テーブルに記憶させるようにしてもよい。
【００１５】
また、例えば、請求項４に記載されているように、前記第１の記憶制御手段は、
前記手動調整手段による手動調整の終了時点の前記表示手段の表示輝度を示す輝度値と前記被写体輝度取得手段により取得された被写体輝度を示す輝度値、又は、前記手動調整手段による手動調整の終了時点の前後の前記表示手段の表示輝度を示す輝度値の平均値と前記被写体輝度取得手段により取得された被写体輝度を示す輝度値の平均値、又は、前記手動調整手段による手動調整中に周期的に得られた前記表示手段の表示輝度を示す輝度値と前記被写体輝度取得手段により取得された被写体輝度を示す輝度値とを対応付けて前記テーブルに記憶させるようにしてもよい。
【００１６】
また、例えば、請求項５に記載されているように、前記第１の記憶制御手段は、
１つの前記表示手段の表示輝度を示す輝度値に対応する被写体輝度を示す輝度値が複数ある場合、又は、１つの被写体輝度を示す輝度値に対応する前記表示手段の表示輝度を示す輝度値が複数ある場合は、最新の値、又は、その平均値を対応付けて記憶させるようにしてもよい。
【００１７】
上記目的達成のため、請求項６記載の発明によるプログラムは、被写体を撮像し、画像データを出力する撮像手段と、
前記撮像手段から出力された画像データを表示する表示手段と、
前記表示手段の表示輝度をユーザが手動で調整するための手動調整手段と、
前記表示手段の表示輝度を示す輝度値と被写体輝度を示す輝度値とが対応付けられた組が複数記憶可能なテーブルと、
を備えた撮像装置を実行させるためのプログラムであって、
被写体輝度を取得する被写体輝度取得処理と、
前記手動調整手段により手動調整された前記表示手段の表示輝度を示す輝度値と、該手動調整時に前記被写体輝度取得処理により取得された被写体輝度を示す輝度値とを対応付けて１つの組として前記テーブルに記憶させる第１の記憶制御処理と、
前記第１の記憶制御処理による制御が行われた際に、既に記憶されている他の組の前記表示手段の表示輝度を示す輝度値と被写体輝度を示す輝度値とを単調増加又は減少させることにより該記憶されている他の組の値を更新させる第２の記憶制御処理手段と、
前記第１の記憶制御処理及び第２の記憶制御処理により記憶された前記テーブルを用いることにより、前記被写体輝度取得処理により取得された被写体輝度を示す輝度値に基づいて、前記表示手段の表示輝度を自動調整する自動調整処理と、
を含むことを特徴とする。
【発明の効果】
【００１８】
本発明によれば、被写体を撮像し、画像データを出力する撮像手段と、前記撮像手段から出力された画像データを表示する表示手段と、前記表示手段の表示輝度をユーザが手動で調整するための手動調整手段と、被写体輝度を取得する被写体輝度取得手段と、前記表示手段の表示輝度を示す輝度値と被写体輝度を示す輝度値とが対応付けられた組が複数記憶可能なテーブルと、前記手動調整手段により手動調整された前記表示手段の表示輝度を示す輝度値と、該手動調整時に前記被写体輝度取得手段により取得された被写体輝度を示す輝度値とを対応付けて１つの組として前記テーブルに記憶させる第１の記憶制御手段と、前記第１の記憶制御手段による制御が行われた際に、既に記憶されている他の組の前記表示手段の表示輝度を示す輝度値と被写体輝度を示す輝度値とを単調増加又は減少させることにより該記憶されている他の組の値を更新させる第２の記憶制御手段と、前記第１の記憶制御手段及び第２の記憶制御手段により記憶された前記テーブルを用いることにより、前記被写体輝度取得手段により取得された被写体輝度を示す輝度値に基づいて、前記表示手段の表示輝度を自動調整する自動調整手段と、を備えるようにしたので、ユーザの好みに合ったファインダー輝度となるように自動で調整することができる。
【発明を実施するための最良の形態】
【００１９】
以下、本実施の形態について、本発明の撮像装置をデジタルカメラに適用した一例として図面を参照して詳細に説明する。
[実施の形態]
Ａ．デジタルカメラの構成
図１は、本発明の撮像装置を実現するデジタルカメラ１の電気的な概略構成を示すブロック図である。
デジタルカメラ１は、撮影レンズ２、レンズ駆動ブロック３、絞り兼用シャッタ４、ＣＣＤ５、ＴＧ（timing generator）６、ユニット回路７、ＣＰＵ８、ＤＲＡＭ９、メモリ１１、ＲＯＭ１０、キー入力部１２、フラッシュメモリ１３、画像表示部１４から構成されている。
【００２０】
撮影レンズ２は、図示しないフォーカスレンズ、ズームレンズを含み、レンズ駆動ブロック３が接続されている。レンズ駆動ブロック３は、図示しないフォーカスレンズ、ズームレンズをそれぞれ光軸方向に駆動させるフォーカスモータ、ズームモータと、ＣＰＵ８からの制御信号にしたがってフォーカスモータ、ズームモータをそれぞれ光軸方向に駆動させるフォーカスモータドライバ、ズームモータドライバから構成されている。
【００２１】
絞り兼用シャッタ４は、図示しない駆動回路を含み、駆動回路はＣＰＵ８から送られてくる制御信号にしたがって絞り兼用シャッタを動作させる。この絞り兼用シャッタは、絞りとシャッタとして機能する。
絞りとは、撮影レンズ２から入ってくる光の量を制御する機構のことをいい、シャッタとは、ＣＣＤ５に光を当てる時間を制御する機構のことをいい、ＣＣＤ５に光を当てる時間は、シャッタの開閉の速度（シャッタ速度）によって変わってくる。算出された露出量ＥＶ値に基づいてこの絞りとシャッタ速度が定められる。
【００２２】
ＣＣＤ５は、撮影レンズ２、絞り兼用シャッタ４を介して投影された被写体の光を電気信号に変換し、撮像信号としてユニット回路７に出力する。また、ＣＣＤ５は、ＴＧ６によって生成された所定周波数のタイミング信号にしたがって駆動する。ＴＧ６にはユニット回路７が接続されている。
【００２３】
ユニット回路７は、ＣＣＤ５から出力される撮像信号を相関二重サンプリングして保持するＣＤＳ（Correlated Double Sampling）回路、そのサンプリング後の撮像信号の自動利得調整を行うＡＧＣ（Automatic Gain Control）回路、その自動利得調整後のアナログの撮像信号をデジタル信号に変換するＡ／Ｄ変換器から構成されており、ＣＣＤ５の撮像信号は、ユニット回路７を経てデジタル信号としてＣＰＵ８に送られる。
【００２４】
ＣＰＵ８は、ユニット回路７から送られてきた画像データの画像処理（画素補間処理、γ補正、輝度色差信号の生成、ホワイトバランス処理、露出補正処理等）、画像データの圧縮・伸張（例えば、ＪＰＥＧ形式やＭＰＥＧ形式の圧縮・伸張）の処理などを行う機能を有するとともに、デジタルカメラ１の各部を制御するワンチップマイコンである。
特にＣＰＵ８は、撮像された画像データの輝度成分に基づいて露出量ＥＶの算出、そのシーンの明るさＢＶｓの算出、及び、該算出されたＢＶｓに適切な画像表示部（ファインダー）１４の表示輝度ＢＶｆを算出して画像表示部１４のバックライトの明るさを調整する機能を有する。
【００２５】
ＤＲＡＭ９は、ＣＣＤ５によって撮像された後、ＣＰＵ８に送られてきた画像データを一時記憶するバッファメモリとして使用されるとともに、ＣＰＵ８のワーキングメモリとして使用される。
ＲＯＭ１０には、ＣＰＵ８によるデジタルカメラ1の各部の制御に必要なプログラム、及び各部の制御に必要なデータが記録されており、ＣＰＵ８は、このプログラムにしたがって処理を行う。
【００２６】
メモリ１１には、デフォルト値として、後述するシーンの明るさを示すＢＶｓとファインダー輝度を示すＢＶｆとを対応付けたＢＶテーブルを有している。このＢＶテーブルに記憶されたデータは書き換え可能である。
キー入力部１１は、電源Ｏｎ／Ｏｆｆキー、シャッタボタン、モード切替キー、ファインダー表示輝度調整ボタン等の複数の操作キーを含み、ユーザのキー操作に応じた操作信号をＣＰＵ８に出力する。
【００２７】
フラッシュメモリ１３は、ＣＣＤ５によって撮像された画像データなどを保存しておく記録媒体である。
画像表示部（ファインダー）１４は、カラーＬＣＤとその駆動回路を含み、電池設定メニューや電池残量を表示させたり、撮影待機状態にあるときには、ＣＣＤ５によって撮像された被写体をスルー画像として表示させる。また、このカラーＬＣＤは、バックライトを有し、ＣＰＵ８の制御によりこのバックライトの明るさ（以下、ファインダー表示輝度）が調整される。
【００２８】
Ｂ.本発明の特徴となる構成の機能
次に、本発明の特徴となる構成の機能について説明する。
ＣＰＵ８は、ＣＣＤ５により撮像された画像データの輝度成分に基づいて露出量ＥＶ値を算出するとともに、感度ＳＶ値を求める。この感度とは、画像を明るくさせる作用のことをいい、ＣＤＳ回路より増幅されるゲイン量や、画素加算駆動によりＣＣＤ５から画像データを読み出す場合は、該加算する画素の数によって定められる。
【００２９】
そして、ＣＰＵ８は、算出したＥＶ値と求めたＳＶ値とを用いて、その画像のシーンの明るさＢＶｓ値（被写体輝度を示す輝度値）を算出する。この算出は、ＢＶｓ＝ＥＶ−ＳＶ、によって求めることができる。なお、ＢＶ、ＥＶ、ＳＶ等は、ＡＰＥＸ規格で定められた単位である。
そして、ＣＰＵ８は、該算出したＢＶｓ値に対応するファインダー表示輝度ＢＶｆ値（ファインダーの表示輝度を示す輝度値）を、次に説明するＢＶテーブルに基づいて線形補間により算出し、該算出したＢＶｆとなるようにファインダー輝度（ＬＣＤのバックライトの明るさ）を変更する。
【００３０】
次に、ＢＶテーブルについて説明する。
予めＢＶテーブルには、ＢＶｓ値とＢＶｆ値とが対応付けられた複数の組が記憶されている。このＢＶｓは、ＢＶｓ値の大きさに応じて一定の範囲ｋ（＝０、１、２、・・・、ｎ）毎に分けられ、各範囲ｋ内のあるＢＶｓ値とそれに対応するＢＶｆが、一対一対応で１つの組として記憶されており、各範囲ｋ内には２以上の組が記憶されることはない。これにより、記憶させるデータの容量を少なくすることができる。
【００３１】
図２（ａ）は、メモリ１１に記憶されているＢＶテーブルの様子を示す図である。図２（ａ）を見ると、ＢＶｓ値とＢＶｆ値とが、一定の範囲ｋ毎に対応付けて記憶されているのが分かる。
図２（ｂ）は、ＢＶテーブルに記憶されている各ＢＶの組の関係グラフ及び線形補間により求められた線を示すものである。
【００３２】
図２（ｂ）の各点（黒点）は、ＢＶテーブルに記憶されている各組のＢＶｓ値とＢＶｆ値とで定められる点である。図を見るとわかるようにＢＶｓ値は、一定の範囲ｋ毎に分けられており、各範囲ｋ内のあるＢＶｓ値とそれに対応するＢＶｆ値とが、一対一対応になっている。
また、図にある線は、このＢＶテーブルに記憶されている各組のＢＶｓ値とＢＶｆ値とに基づいて線形補間により求められた近似線である。
この線により、それぞれのＢＶｓ値とそれに対応するＢＶｆ値が定まることになる。
【００３３】
また、このＢＶテーブルに記憶されているＢＶｓ値とＢＶｆ値の組データは、記憶更新可能であり、ユーザの手動操作によってファインダー輝度の調整が行なわれた場合は、該調整にしたがって、ＢＶｓ値とＢＶｆ値との記憶が更新される。このとき、ファインダー輝度調整が行なわれた場合は、該調整時のＢＶｓ値と調整後のＢＶｆ値とを、該調整時のＢＶｓ値が属する範囲ｋに記憶されている組に替えて、記憶更新させる。つまり、ＢＶｓ値の各範囲ｋには、１つの組データしか記憶させないので、調整後は、調整前の組データを捨てて、調整後のＢＶｓとＢＶｆとの組データを記憶させることになる。
なお、ここでは線形補間により記憶されている組データ以外のＢＶｓとＢＶｆの値を求めるようにしたが、最小２乗法により直線近似を求めるようにしてもよいし、スプライン近似により近似線を求めるようにしてもよい。
【００３４】
Ｃ．デジタルカメラ１の動作
実施の形態におけるデジタルカメラ１の動作を図３のフローチャートに従って説明する。
ファインダーの動作（例えば、ファインダーにスルー画像を表示させる動作）を開始すると、ＣＰＵ８は、ＢＶｓ値の算出を開始する（ステップＳ１）。この算出は一定周期毎（撮像周期毎でもよい）に行われる。なお、ユーザのキー入力部１２の電源Ｏｎ／Ｏｆｆキーの操作により電源がＯｎされるとＣＰＵ８は、ファインダーの動作を開始させる。
【００３５】
次いで、ＣＰＵ８は、ユーザのファインダー表示輝度調整ボタン操作によってファインダー輝度の手動調整が行なわれたか否かを判断する（ステップＳ２）。
ステップＳ２で、手動調整が行なわれたと判断すると、手動調整時に算出（取得）されたＢＶｓ値が属する範囲ｋの組データの記憶を更新させる（ステップＳ３）。
具体的に説明すると、手動調整時に算出されたＢＶｓ値が属する範囲ｋに属する組データに替えて、該算出されたＢＶｓ値と手動調整されたＢＶｆ値（手動調整直後のＢＶｆ値）とを対応付けた１つの組データをＢＶテーブルに記憶させる。
【００３６】
図４（ａ）は、手動調整時のＢＶテーブルに記憶されている各ＢＶの組データの関係グラフ及び線形補間により求められた線を示すものである。
例えば、手動調整時に算出されたＢＶｓ値が属する範囲ｋをｋ＝２とした場合は、ｋ＝２に属する組データ、つまり、既にＢＶテーブルに記憶されている複数の組データのうち、ＢＶｓ値がｋ＝２の範囲に属する組データ２に替えて、該算出されたＢＶｓ値と手動調整後のＢＶｆ値とを対応付けた組データ２´をＢＶテーブルに記憶させる。
これにより、ユーザの好みに合うようにＢＶテーブルの記憶を更新することができ、ユーザに特化したＢＶテーブルに修正することができる。
【００３７】
次いで、ＣＰＵ８は、該更新された組データが属する範囲ｋのＢＶｓ値とＢＶｆ値の増加率に応じて、該更新された組が属する範囲ｋの周辺の範囲ｋに属する組データを単調増加（又は減少）となるように記憶を更新させて（ステップＳ４）、ステップＳ５に進む。
【００３８】
図４（ａ）を見るとわかるように、範囲ｋ（＝２）に属する組データの記憶が手動調整により更新されたので、該範囲ｋ（＝２）の周辺の範囲ｋ、ここでは、ｋ＝１及びｋ＝３の範囲に属する組データを単調増加となるように記憶を更新させる。このとき、更新された組データが属する範囲ｋのＢＶｓ値とＢＶｆ値の増加率は、手動調整前の組データ２のＢＶｓ値及びＢＶｆ値と、手動調整後の組データ２´のＢＶｓ値及びＢＶｆとから、ＢＶｓ値とＢＶｆ値の増加率が求められる。
【００３９】
そして、該求められた増加率に応じて、周辺の範囲ｋの組データのＢＶｓ値とＢＶｆ値とを更新させて記憶する。図４（ａ）を見ると、組データ１が単調増加されて組データ１´になり、組データ３が単調増加されて組データ３´になっているのがわかる。
このように、手動調整がされた範囲の組データだけではなく、その周辺の組データの記憶も更新させるので、他の組データとの整合性が保たれ、一度の調整で複数の範囲の組データの記憶も更新させることができ、ユーザの好みに合うようにＢＶテーブルのデータの記憶を修正することができる。
【００４０】
一方、ステップＳ２で、手動調整されていないと判断するとそのままステップＳ５に進む。
ステップＳ５に進むと、ＣＰＵ８は、現在ＢＶテーブルに記憶されている複数の組データに基づいて線形補間により近似線を求め、該求められた近似線に基づいて、現在算出（取得）されたＢＶｓ値に対応するＢＶｆ値を算出する。
このように、ＢＶテーブルに記憶されている複数の組データに基づいて線形補間により近似線を求めるようにしたので、全てのＢＶｓとそれに対応するＢＶｆを記憶する必要がなく、記憶するデータ量を軽減することができる。
【００４１】
次いで、ＣＰＵ８は、該算出されたＢＶｆ値に基づいてファインダー輝度を変更させる（ステップＳ６）。
つまり、ステップＳ２で、手動調整が行なわれた場合は、該手動調整にしたがってファインダー輝度を調整し、ステップＳ２で手動調整が行なわれない場合は現在のＢＶｓ値に応じたファインダー輝度を自動調整することになる。
【００４２】
次いで、ＣＰＵ８は、ファインダー動作を終了するか否かを判断する（ステップＳ７）。この判断は、電源Ｏｎ／Ｏｆｆキーの操作により電源がＯｆｆに対応する操作信号がキー入力部１２から送られてきた場合は、ファインダー動作を終了すると判断する。
ステップＳ７で、ファインダー表示を終了しないと判断するとステップＳ２に戻り、ステップＳ７で、ファインダー表示を終了すると判断すると、ファインダー動作を終了する。
【００４３】
Ｄ．以上のように、実施の形態においては、手動調整が行なわれた場合は、手動調整時に算出されたＢＶｓが属する範囲ｋの組データに替えて、該手動調整時のＢＶｓと手動調整されたＢＶｆとを対応付けて１つの組データとして記憶させることによりＢＶテーブルのデータの記憶を更新させていき、該ＢＶテーブルに基づいてファイダー輝度を変更させるようにしたので、特別なＢＶテーブルの記憶更新操作を行わなくてもＢＶテーブルの記憶更新が簡単に行えるようになり、ユーザの好みに合ったファインダー輝度となるように自動で調整することができる。
【００４４】
［変形例］
Ｅ．上記実施の形態は以下のような変形例も可能である。
（１）上記実施の形態においては、ファインダー輝度の自動調整と、手動調整を混在させるようにしたが、ユーザが手動操作により選択可能なモードとして、手動調整モード、自動調整モードというものを別個に設け、手動調整モード時にのみファインダー輝度の手動調整を行なうことができるようにし、自動調整モード時に場合は自動調整しかできないようにしてもよい。この場合、手動調整モード時において手動調整されたときのＢＶｓ値とＢＶｆ値を用いて自動調整モード時に使用されるＢＶテーブルのデータの記憶を更新することになる。
【００４５】
（２）また、上記実施の形態においては、ＢＶテーブルに予めデフォルト値として複数の組データを記憶させ、手動調整が行なわれた場合は、該手動調整後の組データを記憶させることにより、ＢＶテーブルに記憶されている組データを更新させるようにしたが、予めデフォルト値である複数の組データを記憶させたＢＶテーブルと、手動調整が行なわれた後の組データを記憶させる手動ＢＶテーブルとを設け、ＢＶテーブルと手動ＢＶテーブルを用いて近似線を算出してファインダー輝度を調整するようにしてもよい。
【００４６】
（３）また、上記実施の形態においては、手動調整が行なわれると、手動調整後のＢＶｓ値とＢＶｆとを対応付けた組データの記憶させることによりＢＶテーブルの記憶を更新するようにしたが、手動調整完了前後のＢＶｓ値の平均値とＢＶｆ値の平均値とを対応付けた組データを記憶させることによりＢＶテーブルの記憶を更新するようにしてもよい。
また、手動調整モードと自動調整モードとを別個に設け、手動調整モードに設定されると、周期的にＢＶｓ値とＢＶｆ値とを取得してＢＶテーブルの記憶を更新させるようにしてもよい。つまり、手動調整モードに設定されると手動調整が行なわれているか否かに拘らず周期的にＢＶテーブルの記憶を更新させることになる。
【００４７】
（４）また、上記実施の形態においては、ファインダー輝度を連続的に変化させることが可能であったが、飛び飛び（段階的）に変化できるようにしてもよい。
図４（ｂ）は、そのときの様子を示すものであり、ここではＢＶｆ値は３段階（ｒ＝０、１、２）で調整可能である。この場合は、手動調整により変更された組データが属する範囲ｋの周辺の範囲ｋの組を単調増加させて記憶更新させるようにしてもよいし、単調増加させずに単に手動調整が行なわれた組データのみを更新させるようにしてもよい。
【００４８】
（５）また、上記実施の形態においては、ＢＶｓとＢＶｆとを対応付けて１つの組データとして記憶させるようにしたが、ＥＶ値（被写体輝度を示す輝度値）とＢＶｆ値を対応付けて１つの組データとして記憶させるようにしてもよい。
【００４９】
（６）また、上記実施の形態においては、ＣＣＤ５により得られた画像データに基づいてＥＶ値を求めるようにしたが、測光センサを設け、該測光センサに基づいてＥＶ値やＢＶｓを求めるようにしてもよい。
【００５０】
（７）また、上記実施の形態においては、ＣＣＤ５により撮像された画像データに基づいてＢＶｓ値を算出（取得）するようにしたが、記録された動画データや静止画像データに基づいてＢＶｓ値を取得して、ファインダーの自動調整、手動調整を行なうようにしてもよい。
【００５１】
（８）また、上記実施の形態におけるデジタルカメラ１は、上記の実施の形態に限定されるものではなく、カメラ付き携帯電話、カメラ付きＰＤＡ、カメラ付きパソコン、カメラ付きＩＣレコーダ、又はデジタルビデオカメラ等でもよく、要は被写体を撮像し、該撮像された画像を表示させる機能を備えた機器であれば何でもよい。
【図面の簡単な説明】
【００５２】
【図１】本発明の実施の形態のデジタルカメラのブロック図である。
【図２】メモリ１１に記憶されているＢＶテーブルの様子及びＢＶテーブルに記憶されている各ＢＶの組の関係グラフ及び線形補間により求められた線を示す図である。
【図３】実施の形態のデジタルカメラ１の動作を示すフローチャートである。
【図４】実施の形態の手動調整時、及び、変形例のＢＶテーブルに記憶されている各ＢＶの組の関係グラフ及び線形補間により求められた線を示す図である。
【符号の説明】
【００５３】
１      デジタルカメラ
２      撮影レンズ
３      レンズ駆動ブロック
４      絞り兼用シャッタ
５      ＣＣＤ
６      ＴＧ
７      ユニット回路
８      ＣＰＵ
９      ＤＲＡＭ
１０    ＲＯＭ
１１    メモリ
１２    キー入力部
１３    フラッシュメモリ
１４    画像表示部
【図１】
0004752570.tif 000002
【図２】
0004752570.tif 000003
【図３】
0004752570.tif 000004
【図４】
0004752570.tif 000005